(57)【要約】【課題】動画像データと音声データとを再分離・再多重化することなく、効率良くデータ変換を行う。【解決手段】ＭＰＥＧ２圧縮処理回路２７は、ＤＶＤ−Ｖｉｄｅｏ形式で動画像を再生する際に参照される再生補助情報であるＮＶ＿ＰＣＫと同一、もしくはＮＶ＿ＰＣＫよりも大きいデータサイズを有する付属情報（ＦＦ＿ＰＣＫ）を、ＮＶ＿ＰＣＫが記録される領域であるＶＯＢＵの先頭に記録する。ＦＦ＿ＰＣＫは、ＭＰＥＧ２データをＤＶＤ−Ｖｉｄｅｏデータに変換する際に、ＮＶ＿ＰＣＫに置換される。動画像データと音声データとを再分割・再多重化する必要がなくなり、効率良くデータ変換を行うことができる。【選択図】        図３
2004274582.tif 000002
【特許請求の範囲】
【請求項１】
動画像データと、この動画像データに付随する音声データとが符号化された動画像データストリームと音声データストリームとを、所定のデータサイズで分割して多重記録する映像記録方法において、
固有の識別符号を有し、前記動画像データおよび音声データに関連した付属情報が符号化された付属情報ストリームを、前記動画像を再生する際に参照される再生補助情報と同一、もしくは再生補助情報よりも大きいデータサイズで分割し、
この分割した付属情報を前記再生補助情報が付加される領域に記録することを特徴とする映像記録方法。
【請求項２】
前記多重記録を、ＭＰＥＧ２規格に沿って行うことを特徴とする請求項１に記載の映像記録方法。
【請求項３】
動画像データと、この動画像データに付随する音声データとが符号化された動画像データストリームと音声データストリームとを、所定のデータサイズで分割して多重記録する映像記録装置において、
固有の識別符号を有し、前記動画像データおよび音声データに関連した付属情報が符号化された付属情報ストリームを、前記動画像を再生する際に参照される再生補助情報と同一、もしくは再生補助情報よりも大きいデータサイズで分割し、
この分割した付属情報を前記再生補助情報が付加される領域に記録する記録手段を備えたことを特徴とする映像記録装置。
【請求項４】
前記多重記録を、ＭＰＥＧ２規格に沿って行うことを特徴とする請求項３に記載の映像記録装置。
【請求項５】
請求項１または２に記載の映像記録方法により多重記録された動画像データと音声データとを、前記再生補助情報が付加される再生データフォーマットに変換する映像変換方法において、
前記識別符号を元に、前記再生補助情報が付加される領域に前記付属情報が記録されているか否かを識別する工程と、識別した付属情報を前記再生補助情報に置換する工程とを備えたことを特徴とする映像変換方法。
【請求項６】
前記再生データフォーマットは、ＤＶＤ−Ｖｉｄｅｏデータフォーマットであることを特徴とする請求項５に記載の映像変換方法。
【請求項７】
請求項３または４に記載の映像記録装置により多重記録された動画像データと音声データとを、前記再生補助情報が付加される再生データフォーマットに変換する映像変換装置において、
前記識別符号を元に、前記再生補助情報が付加される領域に前記付属情報が記録されているか否かを識別する識別手段と、識別した付属情報を前記再生補助情報に置換する置換手段とを備えたことを特徴とする映像変換装置。
【請求項８】
前記再生データフォーマットは、ＤＶＤ−Ｖｉｄｅｏデータフォーマットであることを特徴とする請求項７に記載の映像変換装置。
【発明の詳細な説明】
【０００１】
【発明の属する技術分野】
本発明は、動画像データと、この動画像データに付随する音声データとが符号化された動画像データストリームと音声データストリームとを、所定のデータサイズで分割して多重記録する映像記録方法および装置、並びに多重記録された動画像データと音声データとを、再生補助情報が付加される再生データフォーマットに変換する映像変換方法および装置に関する。
【０００２】
【従来の技術】
デジタルカメラやビデオカメラなどの映像記録機器で得られた音声付き動画像データを圧縮する形式として、ＭＰＥＧ２（Ｍｏｖｉｎｇ  Ｐｉｃｔｕｒｅ  Ｅｘｐｅｒｔｓ  Ｇｒｏｕｐ  Ｐｈａｓｅ２  ）が広く用いられている。図７の上段に示すように、ＭＰＥＧ２では、それぞれ別々のデータストリームで表される動画像データＶと、この動画像データＶに付随する音声データＡとを符号化し、符号化した動画像データＶと音声データＡとを多重記録する。
【０００３】
ＭＰＥＧ２を用いて多重記録する方法としては、圧縮した音声データを先に、動画像データを後にして、固定ブロック単位の整数倍を単位として記録媒体に多重記録するものや（特許文献１参照）、動画像データと、この動画像データに関連する付加情報とを、一時的に一定単位になるまで蓄積する蓄積手段をそれぞれ別々に設け、蓄積された付加情報を動画像データの所定の箇所に多重記録するものがある（特許文献２参照）。
【０００４】
一方、ＭＰＥＧ２で圧縮された音声付き動画像データを、ＤＶＤ（Ｄｉｇｉｔａｌ  Ｖｉｄｅｏ  Ｄｉｓｃ）−Ｖｉｄｅｏデータに変換する際には、図７の下段に示すような処理を行っていた。すなわち、ＭＰＥＧ２で多重記録された動画像データＶと音声データＡとを再分離して元のデータストリームに戻し、音声データＡと動画像データＶとからなるユニット（ＶＯＢＵ、Ｖｉｄｅｏ  Ｏｂｊｅｃｔ  Ｕｎｉｔ  ）の先頭に、ＤＶＤ−Ｖｉｄｅｏ固有の再生補助情報であるＮＶ＿ＰＣＫを挿入して再度多重化する。
【０００５】
【特許文献１】
特開平１１−２９６３１２号公報
【特許文献２】
特開２００１−２４９８３号公報
【０００６】
【発明が解決しようとする課題】
上記のような方法でＭＰＥＧ２データをＤＶＤ−Ｖｉｄｅｏデータに変換した場合、再分離した動画像データＶと音声データＡとを一時的に記憶しておく領域が必要となる。また、再多重化に処理時間を要するため、効率が悪いという問題点があった。これらの問題は、特許文献１および２に記載される方法を以てしても、ＤＶＤ−Ｖｉｄｅｏデータに変換する場合、各データの再分離・再多重化は避けられず、解決することができなかった。
【０００７】
本発明は、動画像データと音声データとを再分離・再多重化することなく、効率良くデータ変換を行うことができる映像記録方法および装置、並びに映像変換方法および装置を提供することを目的とする。
【０００８】
【課題を解決するための手段】
上記目的を達成するために、本発明は、動画像データと、この動画像データに付随する音声データとが符号化された動画像データストリームと音声データストリームとを、所定のデータサイズで分割して多重記録する映像記録方法において、固有の識別符号を有し、前記動画像データおよび音声データに関連した付属情報が符号化された付属情報ストリームを、前記動画像を再生する際に参照される再生補助情報と同一、もしくは再生補助情報よりも大きいデータサイズで分割し、この分割した付属情報を前記再生補助情報が付加される領域に記録することを特徴とする。
【０００９】
また、本発明は、動画像データと、この動画像データに付随する音声データとが符号化された動画像データストリームと音声データストリームとを、所定のデータサイズで分割して多重記録する映像記録装置において、固有の識別符号を有し、前記動画像データおよび音声データに関連した付属情報が符号化された付属情報ストリームを、前記動画像を再生する際に参照される再生補助情報と同一、もしくは再生補助情報よりも大きいデータサイズで分割し、この分割した付属情報を前記再生補助情報が付加される領域に記録する記録手段を備えたことを特徴とする。なお、前記映像記録方法および装置において、前記多重記録は、ＭＰＥＧ２規格に沿って行うことが好ましい。
【００１０】
また、本発明は、請求項１または２に記載の映像記録方法により多重記録された動画像データと音声データとを、前記再生補助情報が付加される再生データフォーマットに変換する映像変換方法において、前記識別符号を元に、前記再生補助情報が付加される領域に前記付属情報が記録されているか否かを識別する工程と、識別した付属情報を前記再生補助情報に置換する工程とを備えたことを特徴とする。
【００１１】
さらに、本発明は、請求項３または４に記載の映像記録装置により多重記録された動画像データと音声データとを、前記再生補助情報が付加される再生データフォーマットに変換する映像変換装置において、前記識別符号を元に、前記再生補助情報が付加される領域に前記付属情報が記録されているか否かを識別する識別手段と、識別した付属情報を前記再生補助情報に置換する置換手段とを備えたことを特徴とする。なお、前記映像変換方法および装置において、前記再生データフォーマットは、ＤＶＤ−Ｖｉｄｅｏデータフォーマットであることが好ましい。
【００１２】
【発明の実施の形態】
本発明を適用したデジタルカメラの電気的構成を示す図１において、デジタルカメラ２には、撮像レンズ１０、レリーズボタン１１、操作部１２、マイクロフォン１３、液晶表示器（ＬＣＤ）１４などが設けられている。レリーズボタン１１の押圧操作により撮像レンズ１０から取り込まれた被写体光は、撮像レンズ１０の背後に配置されたＣＣＤ１５に入射する。
【００１３】
ＣＣＤ１５から出力された撮像信号は、相関二重サンプリング回路（図示せず）に入力され、ＣＣＤ１５の各セルの蓄積電荷量に正確に対応したＲ、Ｇ、Ｂの画像データとして出力される。相関二重サンプリング回路から出力された画像データは、増幅器（図示せず）で増幅され、Ａ／Ｄ変換器１６でデジタルデータに変換される。この画像データは、いわゆるスルー画像としてＬＣＤ１４に表示される。
【００１４】
操作部１２は、電源のオン／オフ切替えを行う電源ボタンや、各種モードを選択するモード切替えスイッチなどから構成される。デジタルカメラ２では、静止画撮影を行う静止画撮影モード、動画撮影を行う動画撮影モード、撮影した画像をＬＣＤ１４に表示する再生モード、および各種設定を行うセットアップモードなどが選択可能となっている。動画撮影モードでは、動画の撮影とともに、マイクロフォン１３を介して周囲の音声が収録される。マイクロフォン１３により収録された音声は、Ａ／Ｄ変換器１７によりデジタルデータに変換される。
【００１５】
Ａ／Ｄ変換器１６から出力された画像データは、画像信号処理回路１８に送信される。画像信号処理回路１８では、階調変換、ホワイトバランス補正、γ補正処理などの各種画像処理が画像データに施される。また、Ａ／Ｄ変換器１７から出力された音声データは、音声信号処理回路１９に送信される。音声信号処理回路１９では、ノイズ除去などの各種処理が音声データに施される。
【００１６】
ＣＰＵ２０は、システムバス２１を介して各部に接続し、デジタルカメラ２全体の動作を統括制御する。システムバス２１には、ＪＰＥＧ圧縮伸長処理回路２２、ＹＣ処理回路２３、ＳＤＲＡＭ２４、カードＩ／Ｆ２５、ＬＣＤドライバ２６、およびＭＰＥＧ圧縮処理回路２７が接続されている。
【００１７】
画像信号処理回路１８により各種処理を施された画像データは、ＹＣ処理回路２３により輝度信号Ｙと色差信号Ｃｒ、Ｃｂとに変換される。ＪＰＥＧ圧縮伸長処理回路２２は、この変換された画像データに対してＪＰＥＧ形式で画像圧縮を施す。ＪＰＥＧ圧縮伸長処理回路２２により圧縮された画像データは、カードＩ／Ｆ２５を介して、デジタルカメラ２に着脱自在に装填されるメモリカード２８に保存される。または、ＬＣＤドライバ２６によりコンポジット信号に変換され、ＬＣＤ１４に表示される。
【００１８】
ＣＰＵ２０には、前述のレリーズボタン１１、操作部１２の他に、ＥＥＰＲＯＭ２９が接続されている。ＥＥＰＲＯＭ２９には、各種制御用のプログラムや設定情報などが記録されている。ＣＰＵ２０は、これらの情報をＥＥＰＲＯＭ２９から作業用メモリであるＳＤＲＡＭ２４に読み出して、各種処理を実行する。
【００１９】
ＭＰＥＧ圧縮処理回路２７は、動画撮影で取得した動画像データおよび音声データに対して、ＭＰＥＧ２形式で圧縮処理を施す。図２に示すように、ＭＰＥＧ圧縮処理回路２７は、ビデオエンコーダ４０、サウンドエンコーダ４１、付属情報エンコーダ４２、バッファメモリ４３〜４５、多重記録回路４６、および出力バッファメモリ４７から構成される。
【００２０】
ビデオエンコーダ４０は、画像信号処理回路１８から送信される動画像データを符号化する。サウンドエンコーダ４１は、ビデオエンコーダで符号化された動画像データに付随する音声データを符号化する。付属情報エンコーダ４２は、これら符号化された動画像データおよび音声データに関連した付属情報を符号化する。符号化された各データは、バッファメモリ４３〜４５にそれぞれ蓄積される。
【００２１】
多重記録回路４６は、図３に示す手順で各データを多重記録する。まず、付属情報エンコーダ４２により符号化された付属情報（ＦＦ＿ＰＣＫ）を、バッファメモリ４５から所定のデータサイズ分読み出す。次に、サウンドエンコーダ４１により符号化された音声データを、バッファメモリ４４から１ＶＯＢＵ分読み出し、ＦＦ＿ＰＣＫの後尾に追記する。そして、ビデオエンコーダ４０により符号化された動画像データを、バッファメモリ４３から１ＶＯＢＵ分読み出し、音声データの後尾に追記して、出力バッファメモリ４７に送信する。このように多重化された１ＶＯＢＵ分のデータは、メモリカード２８に記録される。多重記録回路４６は、撮影した動画フレームが終了するまで、これら一連の多重化処理を繰り返し行う。
【００２２】
ＦＦ＿ＰＣＫは、ＤＶＤ−Ｖｉｄｅｏ形式で動画像を再生する際に参照される再生補助情報であるＮＶ（ｎａｖｉｇａｔｉｏｎ）＿ＰＣＫと同一のデータサイズ（２０４８バイト）を有し、ＮＶ＿ＰＣＫが記録される領域であるＶＯＢＵの先頭に記録される。このＦＦ＿ＰＣＫには、その記録位置やデータサイズを識別する固有の識別コードが付加されており、ＭＰＥＧ２データをＤＶＤ−Ｖｉｄｅｏデータに変換する際に、ＮＶ＿ＰＣＫに置換される。なお、ＦＦ＿ＰＣＫは、ＮＶ＿ＰＣＫに置換することができれば、データサイズをＮＶ＿ＰＣＫよりも大きくしてもよい。
【００２３】
図４に、本発明を適用した映像変換装置の概略構成を示す。この映像変換装置５０は、上記のような手順で圧縮されたＭＰＥＧ２データをＤＶＤ−Ｖｉｄｅｏデータに変換するものであり、ＦＦ＿ＰＣＫ識別部５１、データテーブル作成部５２、ＮＶ＿ＰＣＫ生成部５３、およびＮＶ＿ＰＣＫ置換部５４から構成される。
【００２４】
ＦＦ＿ＰＣＫ識別部５１は、ＦＦ＿ＰＣＫに付加された識別コードを元に、映像変換装置５０に入力されたＭＰＥＧ２データのＶＯＢＵの先頭にＦＦ＿ＰＣＫが記録されているか否かを識別する。データテーブル作成部５２は、入力されたＭＰＥＧ２データに対応したＮＶ＿ＰＣＫを生成するためのデータテーブルを作成する。ＮＶ＿ＰＣＫ生成部５３は、データテーブル作成部５２で作成されたデータテーブルに基づいて、ＮＶ＿ＰＣＫを生成する。ＮＶ＿ＰＣＫ置換部５４は、ＭＰＥＧ２データのＶＯＢＵの先頭に記録されたＦＦ＿ＰＣＫを、ＮＶ＿ＰＣＫ生成部５３で生成されたＮＶ＿ＰＣＫに置換する。
【００２５】
次に、図５および図６を参照して、上記構成による作用について説明する。まず、入力されたＭＰＥＧ２データのプログラムストリームを開き、前処理としてデータテーブル作成部５２でデータテーブルを作成する。
【００２６】
前処理後、１ＶＯＢＵ分のＭＰＥＧ２データをＦＦ＿ＰＣＫ識別部５１に読み込み、読み込んだＶＯＢＵの先頭にポインタを移動させる。そして、ポイントされた先頭にＦＦ＿ＰＣＫが記録されているか否かを、ＦＦ＿ＰＣＫ識別部５１で識別する。先頭にＦＦ＿ＰＣＫが記録されていなかった場合はエラー処理を施す。
【００２７】
先頭にＦＦ＿ＰＣＫが記録されていた場合、データテーブル作成部５２で作成されたデータテーブルに基づいて、ＮＶ＿ＰＣＫ生成部５３でＮＶ＿ＰＣＫを生成する。そして、ＮＶ＿ＰＣＫ置換部５４でＦＦ＿ＰＣＫをＮＶ＿ＰＣＫに置換する。このとき、ＦＦ＿ＰＣＫがＮＶ＿ＰＣＫと同一のデータサイズを有し、ＮＶ＿ＰＣＫが記録される領域であるＶＯＢＵの先頭に記録されているので、置換を容易に行うことができる。
【００２８】
最後に、ＮＶ＿ＰＣＫが置換されたＶＯＢＵの最後までシークして、１ＶＯＢＵ分の変換処理を終了する。映像変換装置５０は、入力されたＭＰＥＧ２データのＶＯＢＵの最後まで、これら一連の変換処理を繰り返し行い、最後のＶＯＢＵに変換処理を施した後、プログラムストリームを閉じて変換処理を終了する。このような構成であると、ＭＰＥＧ２データをＤＶＤ−Ｖｉｄｅｏデータに変換する際に、動画像データと音声データとを再分割・再多重化する必要がなくなる。
【００２９】
上記実施形態では、デジタルカメラ２を例に挙げて説明したが、音声付き動画像データを記録することが可能な他の映像記録機器、例えばビデオカメラなどに本発明を適用してもよい。また、ＭＰＥＧ２データから変換するデータとしては、上記実施形態のＤＶＤ−Ｖｉｄｅｏデータに限らず、ＤＶＤ−ＶＲ（ビデオレコーディングフォーマット）データであってもよく、再生補助情報がＶＯＢＵの先頭に付加されるものであればよい。
【００３０】
【発明の効果】
以上のように、本発明の映像記録方法および装置によれば、固有の識別符号を有し、動画像データおよび音声データに関連した付属情報が符号化された付属情報ストリームを、動画像を再生する際に参照される再生補助情報と同一のデータサイズで分割し、この分割した付属情報を再生補助情報が付加される領域に記録するので、多重記録された動画像データと音声データとを、再生補助情報が付加される再生データフォーマットに変換する際に、付属情報を再生補助情報に容易に置換することができる。
【００３１】
また、本発明の映像変換方法および装置によれば、識別符号を元に再生補助情報が付加される領域に付属情報が記録されているか否かを識別し、識別した付属情報を再生補助情報に置換するので、動画像データと音声データとを再分割・再多重化する必要がなくなり、効率良くデータ変換を行うことができる。
【図面の簡単な説明】
【図１】本発明を適用したデジタルカメラの電気的構成を示すブロック図である。
【図２】ＭＰＥＧ圧縮処理回路の内部構成を示すブロック図である。
【図３】多重記録回路の処理手順を示すフローチャートである。
【図４】本発明を適用した映像変換装置の概略構成を示すブロック図である。
【図５】映像変換装置の処理手順を示すフローチャートである。
【図６】映像変換処理を模式的に示す説明図である。
【図７】従来の映像記録・変換手順を示す説明図である。
【符号の説明】
２  デジタルカメラ
１０  撮像レンズ
１１  レリーズボタン
１３  マイクロフォン
１４  液晶表示器（ＬＣＤ）
１５  ＣＣＤ
２０  ＣＰＵ
２７  ＭＰＥＧ圧縮処理回路
２８  メモリカード
４６  多重記録回路
５１  ＦＦ＿ＰＣＫ識別部
５４  ＮＶ＿ＰＣＫ置換部
【図１】
2004274582.tif 000003
【図２】
2004274582.tif 000004
【図３】
2004274582.tif 000005
【図４】
2004274582.tif 000006
【図５】
2004274582.tif 000007
【図６】
2004274582.tif 000008
【図７】
2004274582.tif 000009